(57)【特許請求の範囲】
【請求項１】
受光した光に応じて発電するセルと、
所定個数の前記セルが直列に接続されて構成される複数のセル群と、
直列に接続された前記セル群を、それぞれバイパスする複数のバイパス部と
を備え、
前記セル群を構成する前記セルの個数が、前記セル群ごとに異なり、前記セルの個数が少ない前記セル群が周辺部分に配置される
太陽光発電モジュール。
【請求項２】
受光した光に応じて発電するセルと、
所定個数の前記セルが直列に接続されて構成される複数の太陽光発電モジュールと、
直列に接続された前記太陽光発電モジュールを、それぞれバイパスする複数のバイパス部と
を備え、
前記太陽光発電モジュールが有する前記セルの個数が、前記太陽光発電モジュールごとに異なる
太陽光発電システム。
【請求項３】
前記太陽光発電モジュールが有する複数の前記セルは、所定個数の前記セルが直列に接続されて構成されるセル群に分割され、
複数の前記バイパス部は、前記セル群ごとにバイパスするように設けられ、
少なくとも同一の前記太陽光発電モジュールにおける前記セル群を構成する前記セルの個数が、前記セル群ごとに異なる
請求項２に記載の太陽光発電システム。
【請求項４】
前記セルの個数が少ない前記太陽光発電モジュールが周辺部分に配置される
請求項２に記載の太陽光発電システム。
【発明の詳細な説明】
【技術分野】
【０００１】
本発明は、太陽光発電モジュールおよび太陽光発電システムに関し、特に、全体の電圧を測定するだけでバイパスされているセルを容易に特定することができるようにした太陽光発電モジュールおよび太陽光発電システムに関する。
【背景技術】
【０００２】
一般的に、太陽光発電システムは、太陽光を受光して発電する複数のセル（太陽電池素子）が電気的に直列に接続されて太陽光発電モジュールが構成され、複数の太陽光発電モジュールが直列に接続されて構成される。そのため、太陽光が雲や建造物などにより遮光されてモジュールの一部分が日陰になると、その部分的な影の影響により発電が行われなくなったセルで電流が遮られてしまい、モジュール全体の出力が低下する。その結果、太陽光発電システムの全体的な発電量が低下することになる。
【０００３】
そこで、従来より、太陽光発電システムでは、全体的な発電量の低下を防止するために、バイパスダイオードがモジュールごとに設けられている。
【０００４】
例えば、図１に示されているモジュール１１は、３２個のセル１２−１乃至１２−３２が直列に接続されており、両端の端子１４−１および１４−２を接続するようにバイパスダイオード１３が設けられて構成される。
【０００５】
このように、バイパスダイオード１３を設けることで、部分的な影の影響によりモジュール１１の出力が低下すると、バイパスダイオード１３を介して電流が流れ、バイパスダイオード１３によりモジュール１１がバイパスされる。これにより、複数のモジュール１１が直列に接続されて構成された太陽光発電システムの全体的な発電量の低下が防止される。即ち、１つのモジュール１１の発電量だけの低下となる。また、モジュール１１内のセル１２が一つでも故障した場合にも、バイパスダイオード１３によりモジュール１１がバイパスされることで、太陽光発電システムの全体的な発電量の低下が防止される。
【０００６】
また、例えば、モジュール１１が複数のバイパスダイオード１３を備えるように構成してもよい。図２には、３２個のセル１２−１乃至１２−３２および４個のバイパスダイオード１３−１乃至１３−４を備えて構成されるモジュール１１’が示されている。
【０００７】
セル１２−１乃至１２−３２は直列に接続されている。バイパスダイオード１３−１は、セル１２−１乃至１２−８の両端の端子１４−１および１４−２を接続し、バイパスダイオード１３−２は、セル１２−９乃至１２−１６の両端の端子１４−２および１４−３を接続している。また、バイパスダイオード１３−３は、セル１２−１７乃至１２−２４の両端の端子１４−３および１４−４を接続し、バイパスダイオード１３−４は、セル１２−２５乃至１２−３２の両端の端子１４−４および１４−５を接続している。
【０００８】
従って、モジュール１１’では、バイパスダイオード１３−１乃至１３−４により、セル１２−１乃至１２−８、セル１２−９乃至１２−１６、セル１２−１７乃至１２−２４、およびセル１２−２５乃至１２−３２ごとにバイパスされる。これにより、いずれかのセル１２に不具合が発生した場合、セル１２−１乃至１２−８、セル１２−９乃至１２−１６、セル１２−１７乃至１２−２４、およびセル１２−２５乃至１２−３２のうちの、不具合が発生したセル１２を含むものだけがバイパスされる。これにより、モジュール１１’全体として出力が低下することが回避される。
【０００９】
ところで、モジュール１１’では、セル１２−１乃至１２−８、セル１２−９乃至１２−１６、セル１２−１７乃至１２−２４、およびセル１２−２５乃至１２−３２のいずれかがバイパスされたとき、モジュール１１’全体の電圧（両端の端子１４−１および１４−５間の電圧）を確認するだけでは、どのセル１２（８個のセル１２からなるセル群）がバイパスされたのかを特定することはできなかった。
【００１０】
ここで、例えば、特許文献１には、発光ダイオードを利用することにより、バイパスされた太陽電池パネルを発見することができるようにした太陽電池発電装置が開示されている。しかしながら、屋根の上やビルの壁面などの高所あるいは大規模なシステムにおいては、発光ダイオードの点灯を確認するのは容易ではなく、バイパスされた太陽電池パネルを発見することは困難であった。
【先行技術文献】
【特許文献】
【００１１】
【特許文献１】特開平８−９７４５６号公報
【発明の概要】
【発明が解決しようとする課題】
【００１２】
上述したように、モジュール全体の電圧を測定するだけではバイパスされたセル（または、複数のセルからなるセル群）を特定することは困難であった。また、複数のバイパスダイオードを設けた場合には、その分だけコストが増加することになるため、出力の低下を抑制する機能だけではなく、新たな機能を付加することが求められる。
【００１３】
本発明は、このような状況に鑑みてなされたものであり、全体の電圧を測定するだけでバイパスされているセルを容易に確認可能な新たな機能を備えることができるようにするものである。
【課題を解決するための手段】
【００１４】
本発明の第１の側面の太陽光発電モジュールは、受光した光に応じて発電するセルと、所定個数の前記セルが直列に接続されて構成される複数のセル群と、直列に接続された前記セル群を、それぞれバイパスする複数のバイパス部とを備え、前記セル群を構成する前記セルの個数が、前記セル群ごとに異なり、前記セルの個数が少ない前記セル群が周辺部分に配置される。
【００１５】
本発明の第２の側面の太陽光発電システムは、受光した光に応じて発電するセルと、所定個数の前記セルが直列に接続されて構成される複数の太陽光発電モジュールと、直列に接続された前記太陽光発電モジュールを、それぞれバイパスする複数のバイパス部とを備え、前記太陽光発電モジュールが有する前記セルの個数が、前記太陽光発電モジュールごとに異なる。
【００１６】
本発明の第１の側面においては、受光した光に応じて発電するセルが所定個数直列に接続されてセル群が構成され、直列に接続された複数のセル群をそれぞれバイパスするように複数のバイパス部が備えられており、セル群を構成するセルの個数が、セル群ごとに異なるようにされ、セルの個数が少ないセル群が周辺部分に配置される。
【００１７】
本発明の第２の側面においては、受光した光に応じて発電するセルが所定個数直列に接続されて太陽光発電モジュールが構成され、直列に接続された複数の太陽光発電モジュールを、それぞれバイパスするように複数のバイパス部が備えられており、太陽光発電モジュールが有するセルの個数が、太陽光発電モジュールごとに異なるようにされる。
【発明の効果】
【００１８】
本発明の第１および第２の側面によれば、全体の電圧を測定するだけでバイパスされているセルを容易に特定することができる。
【図面の簡単な説明】
【００１９】
【図１】従来の太陽光発電システムで使用されるモジュールの例を示す図である。
【図２】複数のバイパスダイオードを備えたモジュールの例を示す図である。
【図３】本発明を適用した太陽光発電システムで使用されるモジュールの一実施の形態の構成例を示す図である。
【図４】バイパスされたセル群と出力電圧の低下との関係を示す図である。
【図５】セルが矩形形状に配置されたモジュールの例を示す図である。
【図６】太陽光発電システムの第１の実施の形態の構成例を示すブロック図である。
【図７】バイパスされたセル群と出力電圧の低下との関係を示す図である。
【図８】太陽光発電システムの第２の実施の形態の構成例を示すブロック図である。
【図９】バイパスされたモジュールと出力電圧の低下との関係を示す図である。
【図１０】太陽光発電システムの第３の実施の形態の構成例を示すブロック図である。
【図１１】バイパスされるセルの個数を示す図である。
【図１２】バイパスされたセル群と出力電圧の低下との関係を示す図である。
【図１３】太陽光発電システムの第４の実施の形態の構成例を示すブロック図である。
【図１４】モジュールの発電特性を示す図である。
【図１５】モジュールの変形例を示す図である。
【図１６】太陽光発電システムの変形例を示す図である。
【発明を実施するための形態】
【００２０】
以下、本発明を適用した具体的な実施の形態について、図面を参照しながら詳細に説明する。
【００２１】
図３は、本発明を適用した太陽光発電システムで使用されるモジュールの一実施の形態の構成例を示す図である。
【００２２】
図３において、モジュール２１は、セル１２−１乃至１２−３２、および第１のバイパスダイオード１３−１乃至第４のバイパスダイオード１３−４を備えて構成される。
【００２３】
セル１２−１乃至１２−３２は、直列に接続されている。また、セル１２−１乃至１２−３２は、それぞれ太陽光を受光して発電し、セル１２−１乃至１２−３２において発電された電力は、モジュール２１の両端の端子１４−１および１４−５から出力される。
【００２４】
第１のバイパスダイオード１３−１は、セル１２−１乃至１２−５の両端の端子１４−１および１４−２の間に接続されおり、セル１２−１乃至１２−５のいずれかに不具合が発生した場合、セル１２−１乃至１２−５をバイパスする。以下、第１のバイパスダイオード１３−１によりバイパスされるセル１２−１乃至１２−５を第１のセル群２２−１と称する。
【００２５】
第２のバイパスダイオード１３−２は、セル１２−６乃至１２−１２の両端の端子１４−２および１４−３の間に接続されおり、セル１２−６乃至１２−１２のいずれかに不具合が発生した場合、セル１２−６乃至１２−１２をバイパスする。以下、第２のバイパスダイオード１３−２によりバイパスされるセル１２−６乃至１２−１２を第２のセル群２２−２と称する。
【００２６】
第３のバイパスダイオード１３−３は、セル１２−１３乃至１２−２１の両端の端子１４−３および１４−４の間に接続されおり、セル１２−１３乃至１２−２１のいずれかに不具合が発生した場合、セル１２−１３乃至１２−２１をバイパスする。以下、第３のバイパスダイオード１３−３によりバイパスされるセル１２−１３乃至１２−２１を第３のセル群２２−３と称する。
【００２７】
第４のバイパスダイオード１３−４は、セル１２−２２乃至１２−３２の両端の端子１４−４および１４−５の間に接続されおり、セル１２−２２乃至１２−３２のいずれかに不具合が発生した場合、セル１２−２２乃至１２−３２バイパスする。以下、第４のバイパスダイオード１３−４によりバイパスされるセル１２−２２乃至１２−３２を第４のセル群２２−４と称する。
【００２８】
このように、モジュール２１では、第１のバイパスダイオード１３−１乃至第４のバイパスダイオード１３−４により、セル１２−１乃至１２−３２が、第１のセル群２２−１乃至第４のセル群２２−４に分割される。なお、以下適宜、セル１２−１乃至１２−３２それぞれを区別する必要がない場合、セル１２と称する。
【００２９】
そして、モジュール２１では、第１のセル群２２−１乃至第４のセル群２２−４のいずれかが有するセル１２に不具合が発生した場合、例えば、モジュール２１に対する部分的な影により一部のセル１２に太陽光が照射されなくなった場合、または、いずれかのセル１２に故障（異常）が発生した場合、不具合が発生したセル１２を有する第１のセル群２２−１乃至第４のセル群２２−４のいずれかが、それぞれ対応する第１のバイパスダイオード１３−１乃至第４のバイパスダイオード１３−４によりバイパスされる。
【００３０】
ここで、図２のモジュール１１’では、セル１２−１乃至１２−３２が同一の個数（８個）で均等に４分割されていたのに対し、モジュール２１では、セル１２−１乃至１２−３２が異なる個数で４分割されている。即ち、モジュール２１では、セル１２−１乃至１２−３２が、５個のセル１２−１乃至１２−５からなる第１のセル群２２−１、７個のセル１２−６乃至１２−１２からなる第２のセル群２２−２、９個のセル１２−１３乃至１２−２１からなる第３のセル群２２−３、１１個のセル１２−２２乃至１２−３２からなる第４のセル群２２−４に４分割されている。
【００３１】
従って、モジュール２１では、第１のセル群２２−１乃至第４のセル群２２−４それぞれの両端の電位差が異なる値となる。このため、モジュール２１においては、第１のセル群２２−１乃至第４のセル群２２−４のいずれかがバイパスされた場合、モジュール２１全体の出力電圧（端子１４−１および１４−５の電位差）を確認することによって、第１のセル群２２−１乃至第４のセル群２２−４のいずれがバイパスされたのかを特定することができる。
【００３２】
つまり、モジュール２１では、いずれかのセル１２に不具合が発生し、第１のセル群２２−１乃至第４のセル群２２−４のいずれかがバイパスされたとき、第１のセル群２２−１乃至第４のセル群２２−４ごとに異なった値で出力電圧が低下する。従って、モジュール２１全体の出力電圧の低下を計測することで、第１のセル群２２−１乃至第４のセル群２２−４のいずれがバイパスされたのかを特定することができる。これにより、不具合が発生したセル１２をある程度特定、即ち、そのセル１２が、第１のセル群２２−１乃至第４のセル群２２−４のいずれに含まれているのかを特定することができる。
【００３３】
図４を参照して、第１のセル群２２−１乃至第４のセル群２２−４が、それぞれ対応する第１のバイパスダイオード１３−１乃至第４のバイパスダイオード１３−４によりバイパスされたときの出力電圧の低下について説明する。
【００３４】
図４は、１個のセル１２が発生する電圧を0.5Ｖとし、第１のバイパスダイオード１３−１乃至第４のバイパスダイオード１３−４の順方向の電圧を1.0Ｖとしたときの出力電圧の例を示している。
【００３５】
セル１２−１乃至１２−３２全てが正常に発電を行っているとき、セル１２−１乃至１２−３２間の電位差、即ち、モジュール２１の出力電圧は16Ｖとなる。このとき、第１のセル群２２−１の電位差は2.5Ｖであり、第２のセル群２２−２の電位差は3.5Ｖであり、第３のセル群２２−３の電位差は4.5Ｖであり、第４のセル群２２−４の電位差は5.5Ｖである。
【００３６】
そして、セル１２−１乃至１２−５のいずれかに不具合が発生し、第１のバイパスダイオード１３−１がＯＮとなって第１のセル群２２−１がバイパスされた場合、第１のセル群２２−１の電位差は、1.0Ｖとなる。従って、この場合におけるモジュール２１の出力電圧は12.5Ｖになり、正常に発電が行われていたときより出力電圧が3.5Ｖ低下する。
【００３７】
また、セル１２−６乃至１２−１２のいずれかに不具合が発生し、第２のバイパスダイオード１３−２がＯＮとなって第２のセル群２２−２がバイパスされた場合、第２のセル群２２−２の電位差は、1.0Ｖとなる。従って、この場合におけるモジュール２１の出力電圧は11.5Ｖになり、正常に発電が行われていたときより出力電圧が4.5Ｖ低下する。
【００３８】
同様に、セル１２−１３乃至１２−２１のいずれかに不具合が発生し、第３のバイパスダイオード１３−３がＯＮとなって第３のセル群２２−３がバイパスされた場合、モジュール２１の出力電圧は10.5Ｖになり、正常時より出力電圧が5.5Ｖ低下する。また、セル１２−２２乃至１２−３２のいずれかに不具合が発生し、第４のバイパスダイオード１３−４がＯＮとなって第４のセル群２２−４がバイパスされた場合、モジュール２１の出力電圧は9.5Ｖになり、正常時より出力電圧が6.5Ｖ低下する。
【００３９】
このように、モジュール２１の出力電圧を確認し、図４に示すような出力電圧の低下の関係性を参照することによって、第１のセル群２２−１乃至第４のセル群２２−４のいずれがバイパスされたのかを特定することができる。具体的には、モジュール２１の出力電圧が12.5Ｖであった場合、正常に発電が行われていたときより出力電圧が3.5Ｖ低下していることより、第１のバイパスダイオード１３−１がＯＮとなって第１のセル群２２−１がバイパスされていることが特定される。
【００４０】
この場合、ユーザは、第１のセル群２２−１に含まれるセル１２−１乃至１２−５のいずれかに不具合が発生したと認識することとができる。さらに、ユーザは、モジュール２１を視認することで、部分的な影の影響によりセル１２−１乃至１２−５に不具合が発生したのかどうかを確認することができる。または、ユーザは、セル１２に影がかかっていないときに、モジュール２１の出力電圧を確認することで、影による影響ではなく、セル１２に故障が発生したのかどうかを確認することができる。
【００４１】
また、モジュール２１の出力電圧を測定する測定部と、図４の関係性を記憶する記憶部とを有する測定装置を設け、モジュール２１の出力電圧を定期的に測定しデータを蓄積することで、バイパスされたセル群２２を自動的に特定することができる。
【００４２】
以上のように、モジュール２１では、モジュール２１の出力電圧を確認することで、第１のセル群２２−１乃至第４のセル群２２−４のうちのバイパスされたものを特定することができる。これにより、セル１２−１乃至１２−３２の中から不具合が発生したセル１２をある程度特定することができる。
【００４３】
また、モジュール２１では、バイパスダイオード１３−１乃至１３−４によりセル１２−１乃至１２−３２が４分割されているので、部分的な影の影響により一部のセル１２の出力が低下しても、そのセル１２を含むセル群２２の発電量が低下するだけで、他のセル群２２により発電された電力は出力される。即ち、モジュール２１全体として出力が低下することを回避することができる。そして、複数のバイパスダイオードを備えることによりコストが増加したとしても、モジュール２１では、バイパスされた第１のセル群２２−１乃至第４のセル群２２−４を特定することができるという機能を新たに備えることができる。即ち、モジュール２１は、コストの増加に応じた新たな効果を得ることになる。
【００４４】
なお、図３のモジュール２１は、４つのセル群２２を有する構成例であるが、セル群２２は４つ以下でも、４つ以上でもよい。また、それぞれのセル群２２が有するセル１２の個数も、図３に示された個数に限定されるものではなく、セル群２２は、少なくとも１個のセル１２を有し、セル群２２ごとにセル１２の個数が異なっていればよい。
【００４５】
また、セル１２−１乃至１２−３２の配置についても、図３に示された例に限定されるものではない。例えば、図５に示すように、セル１２−１乃至１２−３２が、縦×横が８×４となるように配置され、モジュール２１が矩形形状となるように構成することができる。
【００４６】
ところで、一般的に、太陽光発電システムは、商用電圧に変換するのに効率の良い高電圧化された電力を得るために、複数のモジュール２１が直列に接続されて構成される。
【００４７】
次に、図６は、複数のモジュール２１を備えた太陽光発電システムの第１の実施の形態の構成例を示すブロック図である。
【００４８】
図６に示すように、太陽光発電システム３１−１は、第１のモジュール２１Ａ乃至第５のモジュール２１Ｅ、電圧測定部３２、電流測定部３３、および負荷３４を備えて構成される。
【００４９】
太陽光発電システム３１−１は、第１のモジュール２１Ａ乃至第５のモジュール２１Ｅが直列に接続されて構成される。また、第１のモジュール２１Ａ乃至第５のモジュール２１Ｅは、図３を参照して説明したように、それぞれ３２個のセル１２が直列に接続されて構成されている。
【００５０】
即ち、第１のモジュール２１Ａでは、第１のバイパスダイオード１３−１Ａ乃至第４のバイパスダイオード１３−４Ａにより、３２個のセル１２が第１のセル群２２−１Ａ乃至第４のセル群２２−４Ａに分割されている。また、第２のモジュール２１Ｂでは、第１のバイパスダイオード１３−１Ｂ乃至第４のバイパスダイオード１３−４Ｂにより、３２個のセル１２が、第１のセル群２２−１Ｂ乃至第４のセル群２２−４Ｂに分割されている。
【００５１】
同様に、第３のモジュール２１Ｃでは、第１のバイパスダイオード１３−１Ｃ乃至第４のバイパスダイオード１３−４Ｃにより、３２個のセル１２が第１のセル群２２−１Ｃ乃至第４のセル群２２−４Ｃに分割されている。また、第４のモジュール２１Ｄでは、第１のバイパスダイオード１３−１Ｄ乃至第４のバイパスダイオード１３−４Ｄにより、３２個のセル１２が第１のセル群２２−１Ｄ乃至第４のセル群２２−４Ｄに分割されている。第５のモジュール２１Ｅでは、第１のバイパスダイオード１３−１Ｅ乃至第４のバイパスダイオード１３−４Ｅにより、３２個のセル１２が第１のセル群２２−１Ｅ乃至第４のセル群２２−４Ｅに分割されている。
【００５２】
電圧測定部３２は、直列に接続された第１のモジュール２１Ａ乃至第５のモジュール２１Ｅ全体から出力される出力電圧を測定する。電流測定部３３は、第１のモジュール２１Ａ乃至第５のモジュール２１Ｅにより発電された電力の電流を測定する。負荷３４は、第１のモジュール２１Ａ乃至第５のモジュール２１Ｅにより発電された電力を消費する各種の機器である。
【００５３】
このように構成されている太陽光発電システム３１−１では、第１のモジュール２１Ａ乃至第５のモジュール２１Ｅ全体の出力電圧を確認することによって、不具合が発生したセル１２をある程度特定することができる。
【００５４】
図７を参照して、セル１２に不具合が発生したときの出力電圧の低下について説明する。
【００５５】
図７は、１個のセル１２が発生する電圧を0.5Ｖとし、第１のバイパスダイオード１３−１Ａ乃至第４のバイパスダイオード１３−４Ｅの順方向の電圧を1.0Ｖとしたときの出力電圧の例を示している。
【００５６】
太陽光発電システム３１−１が有する全てのセル１２が正常に発電を行っているとき、第１のモジュール２１Ａ乃至第５のモジュール２１Ｅの出力電圧はそれぞれ16.0Ｖとなる。そして、第１のモジュール２１Ａ乃至第５のモジュール２１Ｅ全体の出力電圧、即ち、太陽光発電システム３１−１全体としての出力電圧は80.0Ｖとなる。
【００５７】
また、図４を参照して説明したのと同様に、第１のモジュール２１Ａについて、第１のセル群２２−１Ａの電位差は2.5Ｖであり、第２のセル群２２−２Ａの電位差は3.5Ｖであり、第３のセル群２２−３Ａの電位差は4.5Ｖであり、第４のセル群２２−４Ａの電位差は5.5Ｖである。従って、第１のバイパスダイオード１３−１Ａにより第１のセル群２２−１Ａがバイパスされた場合、第１のモジュール２１Ａの出力電圧は12.5Ｖになり正常時より出力電圧が3.5Ｖ低下する。同様に、第２のセル群２２−２Ａがバイパスされた場合には出力電圧が4.5Ｖ低下し、第３のセル群２２−３Ａがバイパスされた場合には出力電圧が5.5Ｖ低下し、第４のセル群２２−４Ａがバイパスされた場合には出力電圧が6.5Ｖ低下する。
【００５８】
また、第２のモジュール２１Ｂ乃至第５のモジュール２１Ｅについても、第１のモジュール２１Ａと同様に出力電圧が低下する。
【００５９】
従って、太陽光発電システム３１−１全体としての出力電圧が80.0Ｖから3.5Ｖ低下した場合、第１のバイパスダイオード１３−１Ａ，１３−１Ｂ，１３−１Ｃ，１３−１Ｄ，または１３−１ＥのいずれかがＯＮとなって、第１のセル群２２−１Ａ，２２−１Ｂ，２２−１Ｃ，２２−１Ｄ、または２２−１Ｅのいずれかがバイパスされたことが特定される。これにより、第１のセル群２２−１Ａ，２２−１Ｂ，２２−１Ｃ，２２−１Ｄ、または２２−１Ｅのいずれかに不具合が発生したセル１２が含まれていることを特定することができる。
【００６０】
同様に、太陽光発電システム３１−１全体としての出力電圧が80.0Ｖから4.5Ｖ低下した場合、第２のセル群２２−２Ａ，２２−２Ｂ，２２−２Ｃ，２２−２Ｄ、または２２−２Ｅのいずれかがバイパスされたことが特定される。また、太陽光発電システム３１−１全体としての出力電圧が80.0Ｖから5.5Ｖ低下した場合、第３のセル群２２−３Ａ，２２−３Ｂ，２２−３Ｃ，２２−３Ｄ、または２２−３Ｅのいずれかがバイパスされたことが特定される。また、太陽光発電システム３１−１全体としての出力電圧が80.0Ｖから6.5Ｖ低下した場合、第４のセル群２２−４Ａ，２２−４Ｂ，２２−４Ｃ，２２−４Ｄ、または２２−４Ｅのいずれかがバイパスされたことが特定される。
【００６１】
このように、太陽光発電システム３１−１全体の出力電圧を確認し、図７に示すような出力電圧の低下の関係性を参照することによって、バイパスされたセル群２２を特定することができる。これにより、不具合が発生したセル１２を含むセル群２２をある程度特定することができる。
【００６２】
次に、図８は、太陽光発電システムの第２の実施の形態の構成例を示すブロック図である。
【００６３】
図８に示すように、太陽光発電システム３１−２は、第１のモジュール１１Ａ乃至第５のモジュール１１Ｅ、電圧測定部３２、電流測定部３３、および負荷３４を備えて構成される。なお、電圧測定部３２、電流測定部３３、および負荷３４については、図６の太陽光発電システム３１−１と同様に構成されており、その詳細な説明は省略する。
【００６４】
太陽光発電システム３１−２では、第１のモジュール１１Ａ乃至第５のモジュール１１Ｅが直列に接続されている。
【００６５】
第１のモジュール１１Ａ乃至第５のモジュール１１Ｅは、図１のモジュール１１と同様に、複数個のセル１２が直列に接続されており、それらのセル１２の両端を接続するように第１のバイパスダイオード１３Ａ乃至第５のバイパスダイオード１３Ｅが設けられて構成される。また、第１のモジュール１１Ａ乃至第５のモジュール１１Ｅは、それぞれ異なる個数のセル１２を有している。
【００６６】
例えば、第１のモジュール１１Ａは、２０個のセル１２Ａが直列に接続されており、それらのセル１２Ａの両端を接続するように第１のバイパスダイオード１３Ａが設けられて構成される。また、第２のモジュール１１Ｂは、２４個のセル１２Ｂが直列に接続されており、それらのセル１２Ｂの両端を接続するように第２のバイパスダイオード１３Ｂが設けられて構成される。以下、同様に、第３のモジュール１１Ｃは、２８個のセル１２Ｃを有して構成され、第４のモジュール１１Ｄは、３２個のセル１２Ｄを有して構成され、第５のモジュール１１Ｅは、３６個のセル１２Ｅを有して構成されている。
【００６７】
また、図９には、太陽光発電システム３１−２について、１個のセル１２が発生する電圧を0.5Ｖとし、第１のバイパスダイオード１３Ａ乃至第５のバイパスダイオード１３Ｅの順方向の電圧を1.0Ｖとしたときの出力電圧の例が示されている。
【００６８】
第１のモジュール１１Ａ乃至第５のモジュール１１Ｅ全てが正常に発電を行っているとき、第１のモジュール１１Ａ乃至第５のモジュール１１Ｅ全体の出力電圧は70Ｖとなる。このとき、第１のモジュール１１Ａの出力電圧は10Ｖであり、第２のモジュール１１Ｂの出力電圧は12Ｖであり、第３のモジュール１１Ｃの出力電圧は14Ｖである。また、第４のモジュール１１Ｄの出力電圧は16Ｖであり、第５のモジュール１１Ｅの出力電圧は18Ｖである。
【００６９】
そして、第１のモジュール１１Ａが有する２０個のセル１２Ａのいずれかに不具合が発生し、第１のバイパスダイオード１３ＡがＯＮとなって第１のモジュール１１Ａがバイパスされた場合、第１のモジュール１１Ａの両端の電位差は１Ｖとなる。従って、この場合における第１のモジュール１１Ａ乃至第５のモジュール１１Ｅ全体の出力電圧は59Ｖになり、正常に発電が行われていたときより出力電圧が11Ｖ低下する。
【００７０】
また、第２のモジュール１１Ｂが有する２４個のセル１２Ｂのいずれかに不具合が発生し、第２のバイパスダイオード１３ＢがＯＮとなって第２のモジュール１１Ｂがバイパスされた場合、第２のモジュール１１Ｂの両端の電位差は１Ｖとなる。従って、この場合における第１のモジュール１１Ａ乃至第５のモジュール１１Ｅ全体の出力電圧は57Ｖになり、正常に発電が行われていたときより出力電圧が13Ｖ低下する。
【００７１】
以下、同様に、第３のモジュール１１Ｃが有する２８個のセル１２Ｃのいずれかに不具合が発生した場合、全体の出力電圧は正常時より15Ｖ低下する。第４のモジュール１１Ｄが有する３２個のセル１２Ｄのいずれかに不具合が発生した場合、全体の出力電圧は正常時より17Ｖ低下する。第５のモジュール１１Ｅが有する３６個のセル１２Ｅのいずれかに不具合が発生した場合、全体の出力電圧は正常時より19Ｖ低下する。
【００７２】
このように、第１のモジュール１１Ａ乃至第５のモジュール１１Ｅ全体の出力電圧を確認し、図９に示すような出力電圧の低下の関係性を参照することによって、第１のモジュール１１Ａ乃至第５のモジュール１１Ｅのいずれがバイパスされたのかが特定される。具体的には、第１のモジュール１１Ａ乃至第５のモジュール１１Ｅ全体の出力電圧が59Ｖであった場合、正常時より出力電圧が11Ｖ低下していることより、第１のモジュール１１Ａがバイパスされていることが特定される。
【００７３】
この場合、ユーザは、第１のモジュール１１Ａに含まれる２０個のセル１２Ａのいずれかに不具合が発生したと認識することとができる。さらに、ユーザは、第１のモジュール１１Ａを視認することで、部分的な影の影響により第１のモジュール１１Ａが有するセル１２Ａに不具合が発生したのかどうかを確認することができる。または、ユーザは、セル１２Ａに影がかかっていないときに、第１のモジュール１１Ａ乃至第５のモジュール１１Ｅ全体の出力電圧を確認することで、影による影響ではなく、セル１２Ａに故障が発生したのかどうかを確認することができる。
【００７４】
このように、太陽光発電システム３１−２では、第１のモジュール１１Ａ乃至第５のモジュール１１Ｅ全体の出力電圧を確認することで、第１のモジュール１１Ａ乃至第５のモジュール１１Ｅのいずれがバイパスされたのかを特定することができる。これにより、ユーザは、第１のモジュール１１Ａ乃至第５のモジュール１１Ｅのうちのバイパスされたものに、不具合が発生したセル１２が含まれていると認識することができ、不具合が発生したセル１２をある程度特定することができる。
【００７５】
次に、図１０は、太陽光発電システムの第３の実施の形態の構成例を示すブロック図である。
【００７６】
図１０に示すように、太陽光発電システム３１−３は、第１のモジュール２１Ａ乃至第５のモジュール２１Ｅ、電圧測定部３２、電流測定部３３、および負荷３４を備えて構成される。なお、電圧測定部３２、電流測定部３３、および負荷３４については、図６の太陽光発電システム３１−１と同様に構成されており、その詳細な説明は省略する。
【００７７】
太陽光発電システム３１−３では、第１のモジュール２１Ａ乃至第５のモジュール２１Ｅが直列に接続されており、第１のモジュール２１Ａ乃至第５のモジュール２１Ｅは、それぞれ異なる個数のセル１２を有している。さらに、第１のモジュール２１Ａ乃至第５のモジュール２１Ｅは、図３のモジュール２１と同様に、第１のバイパスダイオード１３−１乃至第４のバイパスダイオード１３−４により、第１のセル群２２−１乃至第４のセル群２２−４ごとにバイパスされるようにそれぞれ構成されている。
【００７８】
例えば、第１のモジュール２１Ａは、２０個のセル１２が直列に接続されて構成されている。そして、第１のモジュール２１Ａでは、第１のバイパスダイオード１３−１Ａ乃至第４のバイパスダイオード１３−４Ａにより、２０個のセル１２が、３個のセル１２を含む第１のセル群２２−１Ａ、４個のセル１２を含む第２のセル群２２−２Ａ、６個のセル１２を含む第３のセル群２２−３Ａ、７個のセル１２を含む第４のセル群２２−４Ａに４分割されている。
【００７９】
また、第２のモジュール２１Ｂは、２４個のセル１２が直列に接続されて構成されている。そして、第２のモジュール２１Ｂでは、第１のバイパスダイオード１３−１Ｂ乃至第４のバイパスダイオード１３−４Ｂにより、２４個のセル１２が、３個のセル１２を含む第１のセル群２２−１Ｂ、５個のセル１２を含む第２のセル群２２−２Ｂ、７個のセル１２を含む第３のセル群２２−３Ｂ、９個のセル１２を含む第４のセル群２２−４Ｂに４分割されている。
【００８０】
同様に、第３のモジュール２１Ｃは、２８個のセル１２が直列に接続されて構成されている。そして、第３のモジュール２１Ｃでは、第１のバイパスダイオード１３−１Ｃ乃至第４のバイパスダイオード１３−４Ｃにより、２８個のセル１２が、５個のセル１２を含む第１のセル群２２−１Ｃ、６個のセル１２を含む第２のセル群２２−２Ｃ、８個のセル１２を含む第３のセル群２２−３Ｃ、９個のセル１２を含む第４のセル群２２−４Ｃに４分割されている。
【００８１】
また、第４のモジュール２１Ｄは、３２個のセル１２が直列に接続されて構成されている。そして、第４のモジュール２１Ｄでは、第１のバイパスダイオード１３−１Ｄ乃至第４のバイパスダイオード１３−４Ｄにより、３２個のセル１２が、５個のセル１２を含む第１のセル群２２−１Ｄ、７個のセル１２を含む第２のセル群２２−２Ｄ、９個のセル１２を含む第３のセル群２２−３Ｄ、１１個のセル１２を含む第４のセル群２２−４Ｄに４分割されている。
【００８２】
また、第５のモジュール２１Ｅは、３６個のセル１２が直列に接続されて構成されている。そして、第５のモジュール２１Ｅでは、第１のバイパスダイオード１３−１Ｅ乃至第４のバイパスダイオード１３−４Ｅにより、３６個のセル１２が、７個のセル１２を含む第１のセル群２２−１Ｅ、８個のセル１２を含む第２のセル群２２−２Ｅ、１０個のセル１２を含む第３のセル群２２−３Ｅ、１１個のセル１２を含む第４のセル群２２−４Ｅに４分割されている。
【００８３】
また、図１１には、第１のモジュール２１Ａ乃至第５のモジュール２１Ｅそれぞれにおいて、バイパスダイオード１３によりバイパスされるセル１２の個数が示されている。
【００８４】
図１１に示すように、第１のモジュール２１Ａでは、第１のバイパスダイオード１３−１Ａにより３個のセル１２がバイパスされ、第２のバイパスダイオード１３−２Ａにより４個のセル１２がバイパスされる。また、第３のバイパスダイオード１３−３Ａにより６個のセル１２がバイパスされ、第４のバイパスダイオード１３−４Ａにより７個のセル１２がバイパスされる。
【００８５】
以下、同様に、第２のモジュール２１Ｂ、第３のモジュール２１Ｃ、第４のモジュール２１Ｄ、および第５のモジュール２１Ｅおいて、図１１に示される個数のセル１２が、それぞれ対応するバイパスダイオード１３によりバイパスされる。
【００８６】
次に、図１２を参照して、太陽光発電システム３１−３において、セル１２に不具合が発生したときの出力電圧の低下について説明する。
【００８７】
図１２は、１個のセル１２が発生する電圧を0.5Ｖとし、第１のバイパスダイオード１３−１Ａ乃至第４のバイパスダイオード１３−４Ｅの順方向の電圧を1.0Ｖとしたときの出力電圧の例を示している。
【００８８】
太陽光発電システム３１−３が有する全てのセル１２が正常に発電を行っているとき、太陽光発電システム３１−３全体の出力電圧は70.0Ｖとなる。このとき、第１のモジュール２１Ａの出力電圧は10.0Ｖであり、第２のモジュール２１Ｂの出力電圧は12.0Ｖであり、第３のモジュール２１Ｃの出力電圧は14.0Ｖである。また、第４のモジュール２１Ｄの出力電圧は16.0Ｖであり、第５のモジュール２１Ｅの出力電圧は18.0Ｖである。
【００８９】
そして、第１のモジュール２１Ａについて、第１のバイパスダイオード１３−１ＡがＯＮとなって第１のセル群２２−１Ａがバイパスされたとき、出力電圧は正常時より2.5Ｖ低下する。また、第２のバイパスダイオード１３−２ＡがＯＮとなって第２のセル群２２−２Ａがバイパスされたとき、出力電圧は正常時より3.0Ｖ低下する。同様に、第３のバイパスダイオード１３−３Ａにより第３のセル群２２−３Ａがバイパスされたとき、出力電圧は正常時より4.0Ｖ低下する。また、第４のバイパスダイオード１３−４Ａにより第４のセル群２２−４Ａがバイパスされたとき、出力電圧は正常時より4.5Ｖ低下する。
【００９０】
また、第２のモジュール２１Ｂについて、第１のバイパスダイオード１３−１ＢがＯＮとなって第１のセル群２２−１Ｂがバイパスされたとき、出力電圧は正常時より2.5Ｖ低下する。また、第２のバイパスダイオード１３−２ＢがＯＮとなって第２のセル群２２−２Ｂがバイパスされたとき、出力電圧は正常時より3.5Ｖ低下する。同様に、第３のバイパスダイオード１３−３Ｂにより第３のセル群２２−３Ｂがバイパスされたとき、出力電圧は正常時より4.5Ｖ低下する。また、第４のバイパスダイオード１３−４Ｂにより第４のセル群２２−４Ｂがバイパスされたとき、出力電圧は正常時より5.5Ｖ低下する。
【００９１】
また、第３のモジュール２１Ｃについて、第１のバイパスダイオード１３−１ＣがＯＮとなって第１のセル群２２−１Ｃがバイパスされたとき、出力電圧は正常時より3.5Ｖ低下する。また、第２のバイパスダイオード１３−２ＣがＯＮとなって第２のセル群２２−２Ｃがバイパスされたとき、出力電圧は正常時より4.0Ｖ低下する。同様に、第３のバイパスダイオード１３−３Ｃにより第３のセル群２２−３Ｃがバイパスされたとき、出力電圧は正常時より5.0Ｖ低下する。また、第４のバイパスダイオード１３−４Ｃにより第４のセル群２２−４Ｃがバイパスされたとき、出力電圧は正常時より5.5Ｖ低下する。
【００９２】
また、第４のモジュール２１Ｄについて、第１のバイパスダイオード１３−１ＤがＯＮとなって第１のセル群２２−１Ｄがバイパスされたとき、出力電圧は正常時より3.5Ｖ低下する。また、第２のバイパスダイオード１３−２ＤがＯＮとなって第２のセル群２２−２Ｄがバイパスされたとき、出力電圧は正常時より4.5Ｖ低下する。同様に、第３のバイパスダイオード１３−３Ｄにより第３のセル群２２−３Ｄがバイパスされたとき、出力電圧は正常時より5.5Ｖ低下する。また、第４のバイパスダイオード１３−４Ｄにより第４のセル群２２−４Ｄがバイパスされたとき、出力電圧は正常時より6.5Ｖ低下する。
【００９３】
また、第５のモジュール２１Ｅについて、第１のバイパスダイオード１３−１ＥがＯＮとなって第１のセル群２２−１Ｅがバイパスされたとき、出力電圧は正常時より4.5Ｖ低下する。また、第２のバイパスダイオード１３−２ＥがＯＮとなって第２のセル群２２−２Ｅがバイパスされたとき、出力電圧は正常時より5.0Ｖ低下する。同様に、第３のバイパスダイオード１３−３Ｅにより第３のセル群２２−３Ｅがバイパスされたとき、出力電圧は正常時より6.0Ｖ低下する。また、第４のバイパスダイオード１３−４Ｅにより第４のセル群２２−４Ｅがバイパスされたとき、出力電圧は正常時より6.5Ｖ低下する。
【００９４】
このように、第１のモジュール２１Ａ乃至第５のモジュール２１Ｅ全体の出力電圧を確認し、図１２に示すような出力電圧の低下の関係性を参照することによって、どのセル群２２がバイパスされたのかが特定される。
【００９５】
具体的には、第１のモジュール２１Ａ乃至第５のモジュール２１Ｅ全体の出力電圧が67.5Ｖであった場合、正常時より出力電圧が2.5Ｖ低下していることより、第１のモジュール２１Ａの第１のセル群２２−１Ａ、または、第２のモジュール２１Ｂの第１のセル群２２−１Ｂがバイパスされたことが特定される。同様に、例えば、第１のモジュール２１Ａ乃至第５のモジュール２１Ｅ全体の出力電圧が64.0Ｖであった場合、正常時より出力電圧が6.0Ｖ低下していることより、第５のモジュール２１Ｅの第３のセル群２２−３Ｅがバイパスされたことが特定される。
【００９６】
以上のように、太陽光発電システム３１−３では、第１のモジュール２１Ａ乃至第５のモジュール２１Ｅ全体の出力電圧を確認することで、いずれかのセル１２に不具合が発生した場合、バイパスされたセル群２２を特定することができる。これにより、不具合が発生したセル１２を、ある程度特定することができる。
【００９７】
次に、図１３は、太陽光発電システムの第４の実施の形態の構成例を示すブロック図である。
【００９８】
図１３に示すように、太陽光発電システム３１−４は、第１のモジュール１１Ａ乃至第５のモジュール１１Ｅ、電圧測定部３２、電流測定部３３、負荷３４、およびシステムボックス３５を備えて構成される。なお、第１のモジュール１１Ａ乃至第５のモジュール１１Ｅ、電圧測定部３２、電流測定部３３、および負荷３４については、図８の太陽光発電システム３１−２と同様に構成されており、その詳細な説明は省略する。
【００９９】
システムボックス３５は、第１のモジュール１１Ａ乃至第５のモジュール１１Ｅと負荷３４との間に接続されている。例えば、システムボックス３５は、第１のモジュール１１Ａ乃至第５のモジュール１１Ｅにより発電された電力が負荷３４において利用できるように調整するパワーコンデショナーとしての機能を備えている。
【０１００】
また、システムボックス３５は、第１のモジュール１１Ａ乃至第５のモジュール１１Ｅ全体の発電特性に基づいて、発電効率を制御する機能を備えている。
【０１０１】
例えば、図１４には、第１のモジュール１１Ａ乃至第５のモジュール１１Ｅ全体の発電特性が示されている。
【０１０２】
図１４では、横軸は電圧を示し、左側の縦軸は電流を示しており、図１４において実線で表される曲線（Ｉ−Ｖ曲線）は、第１のモジュール１１Ａ乃至第５のモジュール１１Ｅから出力される電力の電圧および電流の特性を表している。また、図１４では、右側の縦軸は電力を示しており、図１４において破線で表される曲線（Ｐ−Ｖ曲線）は、第１のモジュール１１Ａ乃至第５のモジュール１１Ｅから出力される電力の特性を示している。
【０１０３】
例えば、システムボックス３５は、第１のモジュール１１Ａ乃至第５のモジュール１１Ｅ全体の発電特性の変動や、負荷３４で使用される電力の変動などに応じて、最大出力ポイントＰをトラッキングするMPPT（Maximum Power Point Tracker）制御を行う。即ち、システムボックス３５は、最大出力ポイントＰで電力を出力することができる電圧Ｖpmとなるような電流Ｉpmの電力が第１のモジュール１１Ａ乃至第５のモジュール１１Ｅから出力されるように、第１のモジュール１１Ａ乃至第５のモジュール１１Ｅに対する制御を行う。
【０１０４】
また、システムボックス３５は、不具合が発生したセル１２をより正確に特定する機能を備える。
【０１０５】
ここで、不具合が発生したセル１２を特定するための前提条件として、第１のバイパスダイオード１３Ａ乃至第５のバイパスダイオード１３Ｅの動作の有無が重要事項であることから、太陽光発電システム３１−４としては、電流を流した状態で測定することが必須である。つまり、開放電圧や短絡電流での測定では、不具合が発生したセル１２を特定することができない。
【０１０６】
具体的には、MPPT制御において基準となる電圧（図１４の電圧Ｖpm）を定め、電圧Ｖpmを基準として測定することが望ましい。ところで、第１のモジュール１１Ａ乃至第５のモジュール１１Ｅは、図１４に示したような発電特性を示すが、照射される光の量に応じて、その特性が変化してしまう。即ち、電圧Ｖpmが変化してしまう。
【０１０７】
そこで、特定の光照射量における第１のモジュール１１Ａ乃至第５のモジュール１１Ｅの発電特性（図１４に示したような発電特性）が予め取得され、システムボックス３５には、その発電特性が記憶されている。そして、システムボックス３５は、所定のタイミングで、電圧測定部３２により測定される電圧値をサンプリングして、予め取得してある発電特性と比較することで、より正確に不具合が発生したセル１２を特定することができる。
【０１０８】
次に、図１５は、モジュール２１の変形例を示す図である。
【０１０９】
図１５に示すように、モジュール２１’は、図３のモジュール２１と同様に、セル１２−１乃至１２−３２、および第１のバイパスダイオード１３−１乃至第４のバイパスダイオード１３−４を備えて構成される。また、モジュール２１’では、図５のモジュール２１と同様に、セル１２−１乃至１２−３２が、縦×横が８×４となるように配置されている。但し、モジュール２１’は、第１のセル群２２−１乃至第４のセル群２２−４の配置が、図５のモジュール２１と異なっている。
【０１１０】
ここで、一般的に、モジュール２１’に対する部分影の影響は、モジュール２１’の周辺部分から始まり、モジュール２１’の中央部分から突然始まることはないと考えられる。このことから、モジュール２１’は、セル１２を多く有する第４のセル群２２−４が中央部分となり、第４のセル群２２−４よりもセル１２の個数が少ない第１のセル群２２−１乃至第３のセル群２２−３が周辺部分となるような配置となっている。
【０１１１】
このような配置にすることで、モジュール２１’では、セル１２を多く有する第４のセル群２２−４よりも、セル１２の個数が少ない第１のセル群２２−１乃至第３のセル群２２−３がより多く部分影の影響を受けることになる。即ち、モジュール２１’の中央部分に配置されている第４のセル群２２−４が、部分影の影響を受け難くすることができる。
【０１１２】
従って、モジュール２１’では、第４のセル群２２−４が周辺部分に配置されている構成と比較して、モジュール２１’の出力が大きく低下する割合を低下させることができる。これにより、モジュール２１'では、全体としての発電のロスを最小限に抑制することができる。
【０１１３】
次に、図１６は、太陽光発電システム３１の変形例を示す図である。
【０１１４】
図１６に示すように、太陽光発電システム３１’は、モジュール１１Ａ−１乃至１１Ａ−５、モジュール１１Ｂ−１乃至１１Ｂ−７、モジュール１１Ｃ−１乃至１１Ｃ−９、モジュール１１Ｄ−１乃至１１Ｄ−１１を備える。なお、図１６では、電圧測定部３２、電流測定部３３、および負荷３４の図示は省略されている。
【０１１５】
モジュール１１Ａ−１乃至１１Ａ−５は、図８の第１のモジュール１１Ａと同様に、それぞれ２０個のセル１２Ａが直列に接続されている。そして、モジュール１１Ａ−１乃至１１Ａ−５の両端を接続するように、バイパスダイオード１３−１乃至１３−５がそれぞれ設けられている。また、モジュール１１Ｂ−１乃至１１Ｂ−７は、図８の第２のモジュール１１Ｂと同様に、それぞれ２４個のセル１２Ｂが直列に接続されている。そして、モジュール１１Ｂ−１乃至１１Ｂ−７の両端を接続するように、バイパスダイオード１３−６乃至１３−１２がそれぞれ設けられている。
【０１１６】
同様に、モジュール１１Ｃ−１乃至１１Ｃ−９は、図８の第３のモジュール１１Ｃと同様に、それぞれ２８個のセル１２Ｃが直列に接続されている。そして、モジュール１１Ｃ−１乃至１１Ｃ−９の両端を接続するように、バイパスダイオード１３−１３乃至１３−２１がそれぞれ設けられている。また、モジュール１１Ｄ−１乃至１１Ｄ−１１は、図８の第４のモジュール１１Ｄと同様に、それぞれ３２個のセル１２Ｄが直列に接続されている。そして、モジュール１１Ｄ−１乃至１１Ｄ−１１の両端を接続するように、バイパスダイオード１３−２２乃至１３−３２がそれぞれ設けられている。
【０１１７】
そして、太陽光発電システム３１’では、セル１２を多く有するモジュール１１Ｄ−１乃至１１Ｄ−１１が中央部分となり、モジュール１１Ｄ−１乃至１１Ｄ−１１よりもセル１２の個数が少ないモジュール１１Ａ−１乃至モジュール１１Ｃ−６が周辺部分となるような配置となっている。
【０１１８】
これにより、太陽光発電システム３１’では、図１５を参照して説明したモジュール２１’と同様に、中央部分に配置されたモジュール１１Ｄ−１乃至１１Ｄ−１１が部分影の影響を受け難くなる。従って、太陽光発電システム３１’では全体としての発電のロスを最小限に抑制することができる。
【０１１９】
なお、本明細書において、システムとは、複数の装置により構成される装置全体を表すものである。
【０１２０】
なお、本発明の実施の形態は、上述した実施の形態に限定されるものではなく、本発明の要旨を逸脱しない範囲において種々の変更が可能である。
【符号の説明】
【０１２１】
１１  モジュール，  １２  セル，  １３  バイパスダイオード，  １４  端子，  ２１  モジュール，  ２２  セル群，  ３１  太陽光発電システム，  ３２  電圧測定部，  ３３  電流測定部，  ３４  負荷，  ３５  システムボックス
【図１】
0005601206.tif 000002
【図２】
0005601206.tif 000003
【図３】
0005601206.tif 000004
【図４】
0005601206.tif 000005
【図５】
0005601206.tif 000006
【図６】
0005601206.tif 000007
【図７】
0005601206.tif 000008
【図８】
0005601206.tif 000009
【図９】
0005601206.tif 000010
【図１０】
0005601206.tif 000011
【図１１】
0005601206.tif 000012
【図１２】
0005601206.tif 000013
【図１３】
0005601206.tif 000014
【図１４】
0005601206.tif 000015
【図１５】
0005601206.tif 000016
【図１６】
0005601206.tif 000017